(57)【要約】【課題】受信装置にコンテンツを出力させるか否かを送信側で制御する。【解決手段】コンテンツを保存するコンテンツメモリー１２０と、コンテンツ出力イベントが受信装置側で発生した場合に、受信装置側で選択的に出力されるコンテンツの出力条件を規定するコンテンツ出力情報を生成する情報発生ユニット１１０と、を含んで構成したものである。【選択図】図５
2007300614.tif 000002
【特許請求の範囲】
【請求項１】
コンテンツ出力イベントが受信装置側で発生したときに、コンテンツを受信装置側で選択的に出力させるための出力条件を規定するコンテンツ出力情報を生成する段階と、
前記コンテンツ及び前記コンテンツ出力情報を送信データとして送信する段階と、
を含むことを特徴とするコンテンツ送信方法。
【請求項２】
前記コンテンツ出力情報は、前記コンテンツが前記受信装置に出力されるか否かを示す第１識別子を含むことを特徴とする請求項１に記載のコンテンツ送信方法。
【請求項３】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項２に記載のコンテンツ送信方法。
【請求項４】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち少なくとも一つの通し番号を示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つの通し番号を示す第８識別子、のうち少なくとも一つをさらに含むことを特徴とする請求項３に記載のコンテンツ送信方法。
【請求項５】
前記コンテンツは、広告、静止画、文字、アイコン、ロゴ、グラフィック及びオーディオデータのうち少なくとも一つを含むことを特徴とする請求項１に記載のコンテンツ送信方法。
【請求項６】
コンテンツの受信装置によるコンテンツ出力方法であって、
前記コンテンツ及び該コンテンツの出力条件を規定するコンテンツ出力情報を受信する段階と、
前記コンテンツ及び前記コンテンツ出力情報を保存する段階と、
コンテンツ出力イベントが発生したときに前記コンテンツ出力情報に基づいて前記コンテンツを前記受信装置によって選択的に出力する段階と、
を含むことを特徴とするコンテンツ出力方法。
【請求項７】
前記コンテンツ出力情報は、前記コンテンツが受信装置に出力されるか否かを示す第１識別子を含むことを特徴とする請求項６に記載のコンテンツ出力方法。
【請求項８】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項７に記載のコンテンツ出力方法。
【請求項９】
前記コンテンツ出力情報は、前記コンテンツがファイルグループを含む場合にファイルグループ内のファイルの数を示す第５識別子、前記ファイルグループが複数のファイルを含む場合に該複数のファイルのうち一つの通し番号を示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つの通し番号を示す第８識別子、のうち少なくとも一つをさらに含むことを特徴とする請求項８に記載のコンテンツ出力方法。
【請求項１０】
前記コンテンツは、広告、静止画、文字、アイコン、ロゴ、グラフィック及びオーディオデータのうちの少なくとも一つを含むことを特徴とする請求項６に記載のコンテンツ出力方法。
【請求項１１】
前記コンテンツは、広告であることを特徴とする請求項６に記載のコンテンツ出力方法。
【請求項１２】
コンテンツを保存するメモリーユニットと、
コンテンツ出力イベントが受信装置側で発生したときに、受信装置側で選択的に出力される前記コンテンツの出力条件を規定するコンテンツ出力情報を生成するコンテンツ情報発生ユニットと、
を含んで構成したことを特徴とするコンテンツ送信装置。
【請求項１３】
前記コンテンツ出力情報は、前記コンテンツが受信装置に出力されるか否かを示す第１識別子を含むことを特徴とする請求項１２に記載のコンテンツ送信装置。
【請求項１４】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項１３に記載のコンテンツ送信装置。
【請求項１５】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち一つの通し番号を示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つの通し番号を示す第８識別子、のうち少なくとも一つをさらに含むことを特徴とする請求項１４に記載のコンテンツ送信装置。
【請求項１６】
前記コンテンツは、広告、静止画、文字、アイコン、ロゴ、グラフィック及びオーディオデータのうち少なくとも一つを含むことを特徴とする請求項１２に記載のコンテンツ送信装置。
【請求項１７】
コンテンツ及び該コンテンツの出力条件を規定するコンテンツ出力情報を受信する信号受信ユニットと、
前記コンテンツ及び前記コンテンツ出力情報を保存するメモリーユニットと、
前記コンテンツを出力する出力ユニットと、
コンテンツ出力イベントが発生したときに前記コンテンツを前記コンテンツ出力情報に基づいて選択的に出力させるように前記出力ユニットを制御する制御ユニットと、
を含むことを特徴とするコンテンツ出力装置。
【請求項１８】
前記装置は、携帯通信端末機であることを特徴とする請求項１７に記載のコンテンツ出力装置。
【請求項１９】
前記コンテンツは、広告、静止画、文字、アイコン、ロゴ、グラフィック及びオーディオデータのうち少なくとも一つを含むことを特徴とする請求項１７に記載のコンテンツ出力装置。
【請求項２０】
前記コンテンツ出力情報は、コンテンツが出力ユニットによって出力されるか否かを示す第１識別子を含むことを特徴とする請求項１７に記載のコンテンツ出力装置。
【請求項２１】
前記コンテンツ出力情報は、少なくとも一つの前記コンテンツ出力イベントを識別する第２識別子、受信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項２０に記載のコンテンツ出力装置。
【請求項２２】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち一つの通し番号を示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つの通し番号を示す第８識別子、のうち少なくとも一つをさらに含むことを特徴とする請求項２１に記載のコンテンツ出力装置。
【請求項２３】
前記コンテンツは、広告であることを特徴とする請求項１７に記載のコンテンツ出力装置。
【請求項２４】
少なくとも一つのコンピューター読取り可能な媒体で実行されるデータ構造であり、
コンテンツと関連するヘッダー情報を保存する第１フィールドと、
コンテンツ出力イベントが受信装置側で発生したときに前記受信装置側で選択的に出力される前記コンテンツの出力条件を規定するコンテンツ出力情報を保存する第２フィールドと、
を含むことを特徴とするデータ構造。
【請求項２５】
前記コンテンツを保存する第３フィールドをさらに含むことを特徴とする請求項２４に記載のデータ構造。
【請求項２６】
前記コンテンツ出力情報は、前記コンテンツが受信装置に出力されるか否かを示す第１識別子、及びコンテンツ出力イベントを識別する第２識別子を含むことを特徴とする請求項２４に記載のデータ構造。
【請求項２７】
前記コンテンツ出力情報は、コンテンツが２次元コンテンツ又は３次元コンテンツであるか否かを示す第３識別子、及びコンテンツの少なくとも一つの特性を示す第４識別子をさらに含むことを特徴とする請求項２６に記載のデータ構造。
【請求項２８】
前記第４識別子によって提示されるコンテンツの少なくとも一つの特性は、コンテンツ保存期間、コンテンツ出力番号、コンテンツ出力期間、コンテンツ提供者、コンテンツ受信装置の製造業者、及びコンテンツ受信装置の位置情報、のうち少なくとも一つを含むことを特徴とする請求項２７に記載のデータ構造。
【請求項２９】
前記コンテンツ出力情報は、前記コンテンツがファイルグループを含む場合にファイルグループ内のファイルの数を示す第５識別子、前記ファイルグループが複数のファイルを含む場合に該複数のファイルらのうち一つの通し番号を示す第６識別子、前記コンテンツが２複数のファイルグループを含む場合にファイルグループ毎に出力されるコンテンツ間の間隔を示す第７識別子、及び前記コンテンツが複数のファイルグループを含む場合に該複数のファイルグループのうち一つの通し番号を示す第８識別子、のうち少なくとも一つをさらに含むことを特徴とする請求項２７に記載のデータ構造。
【発明の詳細な説明】
【技術分野】
【０００１】
本出願は２００６年５月４日に出願された大韓民国公開特許公報第１０-２００６-００４０６６０号の優先権を主張して、その全体が参照文献として本出願に統合される。
【０００２】
本発明はコンテンツの送信装置及び送信方法、コンテンツの出力装置及び出力方法、及びコンテンツの送信データ構造に関する。
【背景技術】
【０００３】
マルチメディアデータの受信端末機が開発されて、多様なコンテンツが提供されるようになった。以下、用語“コンテンツ”は、放送ネットワーク又は通信ネットワークを通じて送信される情報及び／又はデータを示し、このような情報は、例えば文字、符号、音響及び映像等である。
【０００４】
放送局、通信サービス提供者のようなコンテンツ提供者によって、例えば広告コンテンツ（例えば、広告、広報ビデオ等）のような所定のコンテンツがネットワークを通じて送られると、ユーザはそのコンテンツを受信して出力する。コンテンツは、コンテンツ提供者又は他の提供者によって制作される。例えば、広告コンテンツは、放送局のようなコンテンツ提供者、又は広告提供者のような他の制作者によって制作され、コンテンツのユーザは提供された広告コンテンツを見たり聞いたりする。
【０００５】
コンテンツが受信されると、テレビや携帯電話等の受信装置にコンテンツが出力される。また、受信装置がデジタルビデオレコーダ（ＤＶＲ）の機能を有する場合には、この受信装置にコンテンツを保存して後で出力することができる。以下、デジタルビデオレコーダは、デジタルコンテンツを保存することができる全てのハードウェアプラットフォーム又はソフトウェアプラットフォームを意味する。従って、デジタルビデオレコーダの概念は、セットトップボックス、デジタルテレビセット、及び個人ビデオレコーダのうち少なくとも一つを含むものである。
【０００６】
例えば、広告コンテンツのようなコンテンツが放送媒体を通じて送信されると、デジタルビデオレコーダの機能を備えた受信装置は、送信されたコンテンツを保存し、そのコンテンツを選択的に出力する。しかし、受信されたコンテンツを選択的に出力するこのような方法によると、広告のための従来のビジネスモデルを無視することが可能となる。
【０００７】
特に、デジタルビデオレコーダの機能を有する最終ユーザ側の受信装置は、このような方法によって広告コンテンツのみを排除した放送コンテンツを出力することができるので、コンテンツ提供者又はコンテンツ制作者及び広告コンテンツ提供者は、広告コンテンツがユーザによって見られないという問題点を有する。言い換えると、放送コンテンツ（例えば、プログラム、映画等）と共に送信される広告コンテンツは、デジタルビデオレコーダ機能によって削除できるため、広告コンテンツがユーザによって再生されず、従って広告コンテンツがユーザによって視聴されないということが起きる。その結果、広告効果を実現することができなくなる。
【０００８】
携帯電話のようなデジタル装置は、装置の始動時に起動時間を要し、装置を消す時に終了時間を要する。さらに、放送ネットワーク又は通信ネットワークに接続された端末機が、放送プログラムチャンネルを変えるのに少し時間がかかる。端末機が無線インターネットに接続するとき、又はネットワークを通じてアプリケーションを受信するとき、又はアプリケーションを端末機にロードするときにも少し時間が必要となる。ここで、用語“端末機”は、好ましくは、放送ネットワーク又は通信ネットワークと接続されて情報を送受信すると共に情報を出力する装置を意味する。
【０００９】
以下、アプリケーションは、端末機で具現化される手段、又は概念的機能そのものである手段を意味し、プログラム又はソースコードによって具現化することができる。前述したように、端末機をつけたり消したりし、放送プログラムチャンネルを切り換えたり、受信されたコンテンツをデコーディングしたり、プログラムのローディング又は無線ネットワークに接続する等のイベントが端末機で発生する。これらの場合、端末機は、イベントの発生中に受信されたコンテンツ又はアプリケーションを出力することができない。
【００１０】
例えば、デジタルテレビ又は携帯通信端末機がプログラムチャンネルを他のチャンネルに切り換える場合、ユーザは新しい放送プログラムを約５秒間視聴することができなくなる。言い換えると、イベントの発生中には、放送プログラムを出力することができなくなる。従って、ユーザはプログラムを視聴することができないことにより不快に感じたり、この期間中に不便さを感じたり、イライラさせられたりすることがある。
【発明の開示】
【発明が解決しようとする課題】
【００１１】
そこで、本発明は、従来技術の限界及び欠点による一つ以上の問題を実質的に緩和し、解決するコンテンツの送信装置及びその方法、コンテンツの出力装置及びその方法、及びコンテンツのデータ構造を提供する。
【００１２】
本発明の目的は、視聴者に便利さと快適さを提供するコンテンツを送信しそれを出力する方法及びコンテンツを送信し出力する装置を提供するものである。
【００１３】
本発明の他の目的は、コンテンツの送信装置によって送信されたコンテンツが受信装置側で出力されるように制御可能なコンテンツの送信及び出力方法、並びにコンテンツの送信及び出力装置を提供するものである。
【００１４】
また、本発明の他の目的は、コンテンツの受信装置でイベントが発生する時に、広告のようなコンテンツを表示可能なコンテンツの送信及び出力方法、並びにコンテンツの送信及び出力装置を提供するものである。
【課題を解決するための手段】
【００１５】
本発明の追加的な長所、目的及び特徴は、以下に一部が開示されており、また一部は、以下の例示に基づいて当業者に明白であり、又は本発明の実施例から知ることができる。本発明の目的及びその他の長所は、発明の詳細な説明及び特許請求範囲だけではなく、添付された図面に開示された構成によって実現され、達成される。
【００１６】
本発明の狙いに従ってこれらの目的及び他の長所を達成するために、本明細書に具現化され広く開示されているように、本発明の一態様によるコンテンツ送信方法は、コンテンツ及び該コンテンツのコンテンツ出力情報を生成する段階と、上記コンテンツ及び上記コンテンツ出力情報を送信データのフォーマットに変換する段階と、上記変換されたデータを送信する段階とを含んでいる。ここで、上記コンテンツ出力情報は、コンテンツ出力イベントが受信装置で発生したときに、受信装置に保存されたコンテンツの出力条件を規定するものである。
【００１７】
本発明の他の態様においては、コンテンツの受信装置によるコンテンツ出力方法が提供されている。この方法は、コンテンツ及び該コンテンツのコンテンツ出力情報を受信する段階と、上記コンテンツ及びコンテンツ出力情報を保存する段階と、上記コンテンツ出力情報に基づいて上記コンテンツを出力する段階と、を含んでいる。ここで、上記コンテンツ出力情報は、コンテンツ出力イベントが受信装置で発生したときに、上記保存されたコンテンツの出力条件を規定するものである。
【００１８】
本発明の他の態様においては、コンテンツ出力装置が提供されている。この装置は、広告コンテンツ及び該広告コンテンツのコンテンツ出力情報を受信する信号受信ユニットと、上記コンテンツ出力情報及び上記広告コンテンツをコンテンツ出力情報によって保存するメモリーユニットと、コンテンツ出力イベントが装置で発生した場合にコンテンツ出力情報に基づいて出力される保存された広告コンテンツを制御する制御ユニットと、該コンテンツ制御ユニットの制御に従って上記広告コンテンツを出力する出力ユニットと、を含んで構成されている。ここで、上記コンテンツ出力情報は、コンテンツ出力イベントが装置で発生したときに、保存された広告コンテンツの出力条件を規定するものである。
【００１９】
本発明の他の態様においては、コンテンツ送信装置が提供されている。この装置は、コンテンツを保存するコンテンツメモリーユニットと、コンテンツのコンテンツ情報を生成するコンテンツ情報発生ユニットと、コンテンツとコンテンツ情報ユニットをデータのフォーマットに変換する変換ユニットと、該変換されたデータを送信する送信ユニットと、を含んで構成されている。ここで、コンテンツ出力情報は、コンテンツ出力イベントが受信装置で発生するときに、受信装置に保存されたコンテンツの出力条件を規定するものである。
【００２０】
また、本発明の他の態様によると、本発明は、コンテンツ送信方法を提供している。この方法は、コンテンツのコンテンツ出力情報を発生する段階と、コンテンツ及びコンテンツ出力情報を送信データとして送信する段階と、を含んでいる。ここで、上記コンテンツ出力情報は、コンテンツ出力イベントが受信装置側で発生した場合に、受信装置側で選択的に出力されるコンテンツの出力条件を規定するものである。
【００２１】
また、本発明に他の態様によると、本発明は、コンテンツの受信装置によるコンテンツ出力方法を提供している。この方法は、コンテンツ及び該コンテンツのコンテンツ出力情報を受信する段階と、上記コンテンツ及びコンテンツ出力情報を保存する段階を含んでいる。ここで、上記コンテンツ出力情報は、コンテンツ出力イベントが発生した場合に、コンテンツ出力情報に基づいて受信装置によってコンテンツを選択的に出力させるコンテンツの出力条件を規定するものである。
【００２２】
また、本発明の他の態様によると、本発明は、コンテンツ送信装置を提供している。この装置はコンテンツを保存するためのメモリーユニットと、コンテンツのコンテンツ出力情報を生成するためのコンテンツ情報発生ユニットと、コンテンツとコンテンツ出力情報を送信データとして送信する送信ユニットと、を含んで構成されている。ここで、コンテンツ出力情報は、コンテンツ出力イベントが受信装置側で発生した場合に、受信装置側で選択的に出力されるコンテンツの出力条件を規定するものである。
【００２３】
また、本発明の他の態様によると、本発明は、コンテンツ出力装置を提供している。この装置は、コンテンツ及び該コンテンツのコンテンツ出力情報を受信する信号受信ユニットと、コンテンツの出力条件を規定するコンテンツ出力情報及びコンテンツを保存するメモリーユニットと、コンテンツ出力イベントが発生した場合にコンテンツ出力情報に基づいてコンテンツを選択的に出力する出力ユニットを制御する制御ユニットと、制御ユニットの制御下でコンテンツを出力する出力ユニットと、を含んで構成されている。
【００２４】
また、本発明の他の態様によると、本発明は、少なくとも一つのコンピューター読取り可能な媒体で実行されるデータ構造を提供している。このデータ構造は、コンテンツと関連するヘッダー情報を保存するための第１フィールドと、上記コンテンツのコンテンツ出力情報を保存するための第２フィールドと、を含んで構成している。ここで、上記コンテンツ出力情報は、コンテンツ出力イベントが受信装置側で発生した場合に、受信装置側で選択的に出力されたコンテンツの出力条件を規定するものである。
【００２５】
本発明の前述した内容と後述される内容は例示的に説明したものであり、請求項に係る発明の追加説明を提供するためのものであることを留意しなければならない。
【発明の効果】
【００２６】
本発明によると、送信コンテンツがコンテンツ受信装置に出力されるか否かをコンテンツ送信側で制御することができる。また、コンテンツのユーザは、所定のイベントがコンテンツ受信装置で発生した場合に、上記コンテンツを受け入れることができる。
【発明を実施するための最良の形態】
【００２７】
以下、添付図面を参照して本発明の望ましい実施形態を詳細に説明する。なお、全図面において、同一又は類似の要素については、同一の符号を用いて示す。
【００２８】
本発明の説明を平易にするために、送信コンテンツが放送広告コンテンツであり、この放送広告は多数の映像を含んだスライドショーである場合を例に述べる。しかし、本発明の概念は、これに限定されず、別の種類のコンテンツであっても全く同様に適用可能である。
【００２９】
図１は本発明の実施形態によるデータ構造の一例である。このデータ構造は、コンテンツ及び他の情報を伝送するものである。
【００３０】
図１に示すように、例えば、送信側から受信装置側に広告コンテンツを含む放送データが送信されると、コンテンツに関する追加情報も送信される。例えば、放送局のようなコンテンツ提供者は、放送データ（コンテンツ）にコンテンツ出力情報（追加情報）を含めて、このような送信データを受信装置に送信する。ここで、送信データは、インターネットネットワーク又は他のネットワークを通じて送信されるデータ、又は非放送タイプのデータを含む。これにより、コンテンツ提供者は、コンテンツ出力情報を使用することで広告コンテンツのようなコンテンツを受信装置側に出力させるように制御することができる。
【００３１】
図１のデータ構造の例は、コンテンツのデータ構造に関する情報を伝送するための第１フィールド２２と、コンテンツを出力するための追加情報を伝送するための第２フィールド２４と、放送コンテンツの生データ、即ちコンテンツそのものを伝送するための第３フィールド２６と、を含むものである。コンテンツの例は、静止画、広告、ロゴ、グラフィック、文字、アイコン等であるが、これに限定されない。例えば、第３フィールド２６で広告データが伝送されるとき、第３フィールド２６の広告データ用のコンテンツ出力情報のような追加情報が第２フィールド２４で伝送される。
【００３２】
第１フィールド２２は、放送コンテンツを伝送するためのデータのヘッダーフィールドであると言える。さらに、第３フィールド２６は、データフィールド又はボディーフィールドと言うことができる。上記用語は状況によって違う名称で呼ばれることがあり、本明細書において使用される用語は、その名称だけに限定されず、その用語の意味によって把握されなければならない。
【００３３】
以下、第２フィールド２４は、追加情報を伝送するための追加情報フィールドを表す。追加情報は、コンテンツの種類又はコンテンツの出力に関連する情報を含むものである。以下、コンテンツ出力イベントが受信装置で発生したときに、受信装置に保存されているコンテンツを出力する条件を含む情報は、コンテンツ出力情報と呼ばれる。このコンテンツ出力情報は、図１に示す複数のフィールドのうち何れのフィールドにも含めることができるが、追加情報フィールド２４に含めるのが望ましい。図１に示すように、コンテンツが例えばデータフィールド２６において送信されたとき、コンテンツ出力情報は、一般に、例えば追加情報フィールド２４において、例えば送信装置から受信装置に一緒に送信される。
【００３４】
図２は、コンテンツ出力情報が追加情報フィールドに含まれる場合の図１の追加情報フィールド２４の例である。図２のコンテンツ出力情報を含んだ追加情報フィールドは、例示的に示したものである。図２において、追加情報フィールドは、多数のフィールド又はサブフィルード（ａ〜ｈ）を含むものとして示されている。しかし、追加情報フィールドには、１以上のフィールド（ａ〜ｈ）を含めることができる。また、必要ならば、追加情報フィールドに他のサブフィルードを含めてもよい。他の実施例において、１以上のフィールド（ａ〜ｈ）は、コンテンツのデータ構造内に展開されてもよいし、追加情報フィールド内に全てが具備されていなくてもよい。また、他の例において、コンテンツ出力情報は、コンテンツ自身と共に送信されなくてもよいが、必要ならば、コンテンツの送信前後に送信されてもよい。
【００３５】
図２に示すように、コンテンツ出力情報は、多数のフィールド（ａ〜ｆ）のうち、少なくとも一つを含むことができる。第１フィールド（ａ）は、イベントがコンテンツ受信装置で発生しているとき、コンテンツがコンテンツ受信装置に出力されるか否かを示すものである。例えば、“１”の値が第１フィールド（ａ）に設定されるか、又は示されると、図２に示すようにコンテンツ受信装置でイベントが発生しているとき、保存されたコンテンツがコンテンツの受信装置に出力される。これとは反対に、“０”の値が第１フィールド（ａ）で設定されると、イベントがコンテンツ受信装置で発生しているときには、コンテンツがコンテンツ受信装置で出力されない。他の変形も可能である。
【００３６】
第２フィールド（ｂ）は、特に、コンテンツ受信装置で発生するイベント（ｓ）を規定する。例えば、第２フィールド（ｂ）に指定されたイベントが発生している場合、又は第１フィールド（ａ）がコンテンツの出力を示している場合、コンテンツ受信装置はコンテンツを出力する（例えば、表示する）。
【００３７】
図２の実施例において、第１フィールド（ａ）に保存された情報にしたがってコンテンツの出力を誘発するイベントは、第２フィールド（ｂ）の値が“１”である場合にはチャンネルを切り換えるイベントであり、第２フィールド（ｂ）の値が“２”である場合にはコンテンツ受信装置の電源のＯＮ／ＯＦＦ切換である。第２フィールド（ｂ）の値が“３”の場合には、イベントは電話のイベントであり、これはコンテンツ受信装置で電話がかけられようとしていることを意味する。第２フィールド（ｂ）の値が“４”である場合には、イベントは通信信号の受信を知らせるものである。
【００３８】
しかし、他のイベントが受信装置で発生する場合には、そのイベントを第２フィールド（ｂ）で規定することができる。他の実施例のように、新しいアプリケーションをコンテンツ受信装置に起動させるイベント、及びユーザのキー入力によって発生するイベントを限定することができる。また、受信装置の信号強度を所定の閾値以下に下げるイベントは、第２フィールド（ｂ）で限定してもよい。このような場合に、コンテンツ受信装置は、コンテンツ提供者から受信し、コンテンツ受信装置に保存されたコンテンツをコンテンツ出力情報にしたがって出力する。以下、第２フィールド（ｂ）で指定されてコンテンツ受信装置で発生するイベントは、コンテンツ出力イベントに属する。
【００３９】
コンテンツ出力情報、例えば第２フィールド（ｂ）で指定されたコンテンツ出力イベントがコンテンツ受信装置で発生すると、コンテンツ受信装置は、コンテンツ出力情報によって、例えば第１フィールド（ａ）に保存された値に基づいて受信されたコンテンツを出力する。
【００４０】
前述したように、多数の映像ファイルを含むスライドショーは、図２の実施例のコンテンツと見なされる。第３フィールド（ｃ）は、コンテンツ映像の次元を限定する。人の左目に映る一つの映像（これは左目映像といい、ここではＬで記載する）、人の右目に映る他の一つの映像（これは右目映像といい、ここではＲで記載する）がお互いに違う場合に、両眼視差が発生する。また、両眼視差が発生して左目映像及び右目映像が好適に合成されると、合成された映像は３次元映像のように見られる。人の目において、二つの入射光の間に差がある二つの映像が人の脳で合成されると、合成された映像は３次元映像のように見える。
【００４１】
このような原理を利用するために、本発明の一実施例によると、映像の右目映像（Ｒ）と左目映像（Ｌ）はコンテンツ送信装置に設けられており、右目映像と左目映像はコンテンツ受信装置の画素によって合成され、又は混合される。二つの映像を合成又は混合するために、補間法（interpolation method）が使用されるが、他の合成方法が使用されてもよい。また、受信装置に３次元映像を連続的に表示すれば、受信装置で３次元動画も表示することができる。
【００４２】
図２に示す第３フィールド（ｃ）の値は、コンテンツを３次元映像として見ることができるか可否を決定する。図２の実施例において、第３フィールド（ｃ）の値が“０”である場合には、２次元コンテンツが受信装置に出力され、一方、第３フィールド（ｃ）の値が“１”ならば、３次元コンテンツが受信装置に出力される。他の変形も可能である。
【００４３】
第４フィールド（ｄ）は、コンテンツ出力イベントが受信装置で発生したとき、受信装置に出力されたコンテンツの特性を決定する。図２の実施例において、第４フィールド（ｄ）で特定することができるコンテンツの特性は、コンテンツ受信装置にコンテンツを保存する期間（持続時間）を特定する保存期間を示す情報“１”、保存されたコンテンツを出力する番号を特定するコンテンツ出力番号“２”、出力されるコンテンツの時間を特定する出力期間“３”、コンテンツサービス提供者の特定を可能にするコンテンツ“４”、コンテンツ受信装置の製造業者“５”、コンテンツ受信装置の位置情報“６”、受信装置のユーザ情報“７”などを含む。コンテンツの他の特性及び性質は、第４フィールド（ｄ）に記載することができる。
【００４４】
前述したように、例えば、第４フィールド（ｄ）に保存されたようなコンテンツ特性情報は、コンテンツの出力に関する多様な情報を提供することができる。なぜなら、コンテンツ特性情報がコンテンツに関する情報、コンテンツ受信装置に関する情報及びコンテンツ受信装置のユーザに関する情報を含むからである。例えば、保存期間“１”は受信されたコンテンツが受信装置に保存される期間を示す。期間の単位は変えることができる。
【００４５】
一実施例によると、コンテンツ出力番号“２”は、どのくらい多くの保存されたコンテンツが受信装置に出力されるかを示す。第４フィールド（ｄ）に設定されたコンテンツ出力番号が受信装置に実際に出力されるコンテンツの数と同じである場合には、保存されたコンテンツはコンテンツ受信装置のメモリーで削除される。コンテンツの出力時間“３”は、コンテンツ出力イベントが受信装置で発生したとき、コンテンツを受信装置に出力させる時間を示す。コンテンツサービス提供者“４”は、コンテンツ制作者を特定する情報を提供し、コンテンツ受信装置“５”の製造業者は、コンテンツ受信装置の製造業者を特定する情報を示す。
【００４６】
コンテンツサービス提供者とコンテンツ受信装置の製造業者のうちで少なくとも一つが第４フィールド（ｄ）に設定されるか又は特定されると、コンテンツが出力されるか否か又はどのような種類のコンテンツが出力されるか否かということが第４フィールド（ｄ）に設定された情報によって変化する。
【００４７】
実施例によると、コンテンツ受信装置の位置情報“６”は、受信装置のＧＰＳ（全地球位置確認システム）などのような地理情報を示す。コンテンツ受信装置の位置情報“６”が第４フィールド（ｄ）に設定されている場合には、コンテンツが出力されるか否か又はどのような種類のコンテンツが出力されるか否かということが第４フィールド（ｄ）に設定された位置情報“６”によって変化する。コンテンツ受信装置のユーザ情報“７”は、コンテンツ受信装置のユーザに関する情報を示す。よって、多様なコンテンツの出力条件を設定することができる。
【００４８】
実施例によると、一つのコンテンツは、１以上のファイルを含んでおり、又は多数の（例えば、幾つかの）ファイルが一つのグループを形成している。例えば、コンテンツがスライドショーである場合には、幾つかのスライドファイルが一つのコンテンツグループを構成し、スライドショーがコンテンツグループのスライド映像ファイルから出力される。これに関して、第５フィールド（ｅ）は、１グループ内のコンテンツファイルの数を示す。図２の実施例において、イベントが受信装置で発生しているときに、コンテンツを出力するコンテンツファイルの数は、“０”〜“９９”で設定することができる。他の例も可能である。
【００４９】
コンテンツ出力情報は、グループ内のコンテンツファイルの通し番号を示す第６フィールド（ｆ）を含んでいる。図２の例は、グループ内のコンテンツファイルの通し番号が“０”〜“９９”に設定されることを示している。また、表示された映像が３次元映像なら、コンテンツ出力情報は、出力される映像を３次元映像のように見えるようにさせる二つの映像の通し番号を特定することができる。図２の例は、奇数が３次元映像用の右目映像を示して、偶数が３次元映像用の左目映像を示している。
【００５０】
コンテンツ出力情報は、出力される複数のグループのコンテンツを出力する間隔を示す第７フィールド（ｇ）を含んでいる。第７フィールド（ｇ）の値は各グループによって出力されるコンテンツ間の間隔であり、図２の例は第７フィールド（ｇ）の値が０．１秒であることを示している。図２の例において、第７フィールド（ｇ）の値が“０”である場合には、コンテンツはグループ毎に出力されない。
【００５１】
コンテンツ出力情報は、グループの通し番号を示す第８フィールド（ｈ）を含んでいる。さらに、グループの通し番号は、図２の例の場合には、“０”〜“９９９９９９”に設定される。
【００５２】
図１及び図２の例で示す前述した任意のデータ構造は、連続的に処理するための少なくても一つのコンピューター読取り可能な媒体で実施することができる。コンピューター読取り可能な媒体は、１以上のコンピューター、又は送信装置或は受信装置のようなコンピューターを備えた装置に関係するハードドライブ、ＲＡＭ、ＲＯＭ、ＰＲＯＭ等のような任意の記憶部又はメモリーであり、又はＵＳＢ、磁気ディスク、光学ディスク、光磁気ディスクなどのような多様な記憶媒体である。
【００５３】
図３及び図４は、本発明が適用されるマルチメディアオブジェクト送信プロトコルの一部を示す。マルチメディアオブジェクト送信プロトコルは放送規定と通信規定中の一つである。
【００５４】
先ず、図３は、ＥＴＳＩＥＮ ３０１ ２３４ Ｖ２．１．１のマルチメディアオーディオ放送（ＤＡＢ）プロトコルのマルチメディアオブジェクト送信プロトコルによって送信されるデータフィールドの一部を示す。
【００５５】
図２に示す各フィールドは、少なくとも一つの予備フィールド又は図３に示すマルチメディアオブジェクト送信プロトコルの少なくとも一つのユーザ個人フィールドに設定される。図２に示すコンテンツ出力情報は、図３で“マルチメディアオブジェクト送信プロトコル拡張子のために用意されたマルチメディアオブジェクト送信プロトコルの予備フィールドに規定され、又は保存される。また、コンテンツ出力情報は、指定された領域が使用されないときだけ、マルチメディアオブジェクト送信プロトコルの指定された領域に設定される。
【００５６】
コンテンツ出力情報は、マルチメディアオブジェクト送信プロトコルの長さが変えられるデータフィールドで定義される。この可変長のデータフィールドは、固定長のデータフィールドに比べてより好ましい。何故ならば、可変長のデータフィールドは、追加情報を提供することができるからである。
【００５７】
図３の例において、図２に示すコンテンツ出力情報は、マルチメディアオブジェクト送信プロトコルによるコンテンツ名フィールドに設定される。図４の例の場合に、コンテンツ名フィールド用の特定の指標としてアラビア数字で構成されたデータは、斜線が付されたコンテンツ名フィールドに設定されて送信される。図示されたフィールドは、アラビア数字であるＡＳＣＩＩ値で設定される。
【００５８】
図２に示すように、コンテンツの生データ及びコンテンツ出力情報は、コンテンツ名フィールドのように図３のフォーマットで設定される。また、コンテンツ受信装置は、コンテンツ出力イベントが受信装置で発生すると、コンテンツ出力情報に基づいてコンテンツを選択的に出力するように制御される。送信データフォーマットであるマルチメディアオブジェクト送信プロトコルは、単に一例であり、図２に示すデータは、他の放送プロトコル又は他の通信プロトコルの中で送信されることもある。
【００５９】
他の例において、コンテンツ出力情報を受信装置に送る場合に、コンテンツ出力情報は、メインチャンネルではなくサブチャンネルのデータフィールドに設定して、送信することができる。
【００６０】
また、コンテンツ出力情報は、データ放送チャンネルによって送信される場合、ＢＩＦＳ（Binary Format for Scenes）フォーマットのようなデータ放送フォーマットに設定される。さらに、コンテンツ出力情報は、ケーブル又は無線ネットワークの他の通信プロトコルにおいて送信されてもよい。
【００６１】
図５は本発明の一実施形態によるコンテンツ送信装置１００を示す。ここで、コンテンツ送信装置の実施例を、図５を参照にして説明する。装置１００は、情報発生ユニット１１０と、コンテンツメモリー１２０と、変換ユニット１３０と、送信ユニット１４０とを含み、全て作動可能に接続して構成されている。また、装置１００は、送信装置又はコンテンツ送信装置と見なすることができる。
【００６２】
情報発生ユニット１１０は、例えばネットワーク、ケーブル又は他の周知の送信用媒体３００を介して装置２００に送信されるコンテンツ出力情報を発生する。また、コンテンツ出力情報は、図２を参照にして前述したような情報を含むことができ、図１、図３及び図４のデータ構造及びプロトコルで装置２００に送信される。例えば、コンテンツ出力情報は、コンテンツが出力されるか否かに関する情報を含むことができる。さらに、コンテンツ出力情報は、次のもののうち少なくとも一つを含んでいる。即ち、コンテンツ出力イベントの種類を示す識別子、コンテンツに含まれた映像の次元を示す識別子、コンテンツの１以上の特性を示す識別子、コンテンツがファイルグループを含んでいる場合、ファイルグループのファイルの数を示す識別子、ファイルグループが複数のファイルを含んでいる場合、各ファイルの通し番号を示す識別子、コンテンツが複数のファイルグループを含んでいる場合、コンテンツグループ毎に出力されるコンテンツ間の間隔を示す識別子、及びコンテンツが複数のファイルグループを含んでいる場合、各ファイルグループの通し番号を示す識別子である。
【００６３】
コンテンツメモリー１２０は、送信されるコンテンツファイルを保存する。保存されたコンテンツファイルは、図５の装置１００で生成することができ、又は外部ソースから受信することができる。変換ユニット１３０は、保存されたコンテンツと情報発生ユニット１１０から生成されたコンテンツ出力情報とをデータのフォーマットに変換する。変換フォーマットは、ケーブル又は無線ネットワークとしての放送プロトコルに従う。言い換えると、変換ユニットは、コンテンツとコンテンツ出力情報とをネットワークの物理層としての変換フォーマットに変換する。
【００６４】
データフォーマットは、地上放送、衛星放送又はケーブル放送のような放送送信フォーマットに従う。送信ユニット１４０は、変換されたデータをケーブルネットワーク、無線ネットワーク、インターネット、エクストラネット、イントラネットなどのような送信媒体３００で送ることができる。
【００６５】
図６は本発明の一実施形態によるコンテンツ送信方法を示すフローチャートである。図６には、コンテンツを送信するための実施例が示されている。このような方法は、装置１００又は他の好適な装置又はシステムによって実施することができる。
【００６６】
先ず、コンテンツとコンテンツ出力情報とが生成される（Ｓ１０）。例えば、コンテンツ出力情報は情報発生ユニット１１０によって生成され、コンテンツは装置１００によって作成され、又は他の装置から再構成される。コンテンツ出力情報は、図２、図３及び図４に既に示されている。
【００６７】
コンテンツとコンテンツ出力情報とは、例えば変換ユニット１３０によってマルチメディアオブジェクト送信プロトコルのような送信データのフォーマットに変換される（Ｓ２０）。
【００６８】
さらに、コンテンツとコンテンツ出力情報とは、送信ユニット１４０によって送信データとしてネットワーク３００又は他のものを介して受信装置２００に送信される。
【００６９】
図７は本発明の一実施例によるコンテンツを受信して出力する装置２００の例を示す。装置２００は、装置１００から送信されたコンテンツとコンテンツ出力情報とを受信して処理する。装置２００は、受信装置又はコンテンツ受信装置と見なされる。
【００７０】
この実施形態によると、図７の装置２００は、メモリーユニット２２０と、制御ユニット２３０と、出力ユニット２４０とを含み、これら全てが作動可能に接続されている。
【００７１】
メモリーユニット２２０は、ケーブルネットワーク、無線ネットワークなどのような送信媒体３００を通じて受信されるコンテンツとコンテンツ出力情報を保存する。
【００７２】
制御ユニット２３０は、コンテンツ出力イベントが発生しているか否かを判定し、コンテンツ出力イベントが発生している場合、制御ユニット２３０は出力ユニット２４０が保存されたコンテンツを対応するコンテンツ出力情報によって出力するように制御する。１以上のコンテンツ出力イベントは、前述したように、図２に示す受信されたコンテンツ出力情報の第２フィールド（ｂ）において特定することができる。ここで、コンテンツ出力情報は、コンテンツの出力を誘発するものである。しかし、このようなコンテンツ出力イベントは、コンテンツ出力情報と関係なく受信することもできる。
【００７３】
出力ユニット２４０は、制御ユニット２３０の制御信号によってコンテンツを出力する。視覚コンテンツを出力する表示パネル、及び又は音響コンテンツを出力するスピーカーは、出力ユニット２４０の一例である。また、出力ユニット２４０は、２次元又は３次元のコンテンツを表示可能な表示装置である。コンテンツを３次元表示するために、如何なる周知技術を使用してもよい。例えば、出力ユニット２４０は、表示ユニット、及び表示ユニットに隣接して２次元映像又は３次元映像を提供するために選択的にオン・オフされるスイッチングパネルを配置して構成してもよい。前述したように、コンテンツは、図２の第３フィールド（ｃ）に保存された情報に基づいて２次元又は３次元に表示される。
【００７４】
装置２００が無線通信システムによって信号を受信する場合には、装置２００は、信号受信ユニット２０２と信号デコーダー２０５とをさらに含む。他の部品も装置２００に含めることができる。
【００７５】
例えば、装置２００が携帯通信端末機である場合は、装置２００は、放送信号を受信するための第１信号受信ユニット、及び通信信号を受信するための第２信号受信ユニットをそれぞれ含む。図７において、信号受信ユニット２０２は、放送信号に変換されたコンテンツとコンテンツ出力情報とを受信するために第１信号受信ユニットである。変形例の場合には、信号受信ユニット２０２は、通信信号に変換されたコンテンツとコンテンツ出力情報とを受信するために第２信号受信ユニットとなることがある。
【００７６】
信号受信ユニット２０２が二つの機能を有する場合には、信号受信ユニット２０２は、データを送ることもでき、信号送信ユニット又は送受信装置と見なすことができる。送信装置を装置２００に別途具備することもできる。
【００７７】
信号デコーダー２０５は、信号受信ユニット２０２が受信した、又はメモリーユニット２２０に保存されたコンテンツをデコードする。
【００７８】
信号デコーダー２０５は、デコードされたコンテンツを図７において図示省略のバッファー、又はメモリーユニット２２０に再び出力する。
【００７９】
制御部２３０は、コンテンツイベントが発生しているか否かを判定する。さらに、コンテンツ出力情報に規定されている何れかのコンテンツイベントが発生した場合、制御ユニット２１０は、コンテンツ出力情報の他の部分に基づいてそれに対応して保存されたコンテンツを、出力ユニット２４０を通じて出力する。
【００８０】
コンテンツ出力イベントは、プログラムチャンネルを変えるイベント、端末機をオン・オフするイベント、無線ネットワークに接続しようとするイベント、又は通信信号の受信を知らせるイベント等であるが、これらに限定されない。
【００８１】
図７の装置は、デジタルテレビのようなテレビ、携帯通信端末機等である。さらに、携帯通信端末機は、携帯電話、スマートフォン、個人携帯用の情報端末機（ＰＤＡ）、個人携帯用マルチメディアプレーヤー（ＰＭＰ）、デジタルマルチメディア放送（ＤＭＢ）端末機などであるが、これらに限定されない。また、表示ユニット、制御部等のような周知の他の要素を含めてもよい。
【００８２】
本発明によるコンテンツ出力装置は、コンテンツ出力情報に基づいて送信されたコンテンツを出力するものであるので、装置がコンテンツを出力するか否かということは、コンテンツ出力情報がコンテンツ送信装置から受信されることを条件としている。
【００８３】
従って、本発明によるコンテンツ出力装置は、コンテンツ送信装置が以下のことを制御するのを可能にする。即ち、コンテンツ送信装置がコンテンツ出力情報をそれに対応するコンテンツと共に送ることにより、受信装置が送信されたコンテンツを出力するか否かということを制御する。
【００８４】
本発明を簡単に説明するために、本発明による装置２００が携帯通信端末機であり、コンテンツが放送広告コンテンツであり、ユーザが端末機で放送を視聴する場合を例として、以下に説明する。このような実施例において、携帯通信端末機が放送ネットワークを通じて第１放送局からコンテンツを受信することを仮定する。
【００８５】
携帯通信端末機は、放送ネットワークを通じて第１放送局から送信されたコンテンツとコンテンツ出力情報とを受信して、これを保存する。第１放送局が送るプログラム（又は、チャンネル）から第２放送局が送る他のプログラム（又は、チャンネル）にユーザが切り換えると、端末機は第１放送局から受信されたコンテンツ出力情報に基づいて広告コンテンツを、望ましくはチャンネル又はプログラムが切り換わる過程で表示することができる。
【００８６】
他の実施例においては、端末機がオフされると、第１放送局から受信された広告コンテンツが端末機のオフ時間の間だけコンテンツ出力情報に基づいて表示される。広告コンテンツは、スライドショーの映像ファイルのような視覚コンテンツであるか、又は音楽ファイルのような音響コンテンツであってもよい。
【００８７】
前述したように、従来端末機がデジタルビデオレコーダ機能を有していた場合には、端末機は、受信された放送から広告を排除した放送プログラムのみを表示することができる。しかし、本発明の望ましい実施形態によると、所定のコンテンツ出力イベントがコンテンツ受信装置に発生したとき、コンテンツ送信装置は、コンテンツ出力情報に基づいてコンテンツ受信装置に広告コンテンツを出力させることができる。従って、コンテンツ送信装置は、コンテンツが受信装置で出力されるか否かだけではなく、コンテンツが受信装置で出力される方式を制御することができる。
【００８８】
また、他の実施例においては、多数のコンテンツとコンテンツ出力情報とを受信装置に送信することもできる。例えば、第１放送局は第１広告コンテンツと第１コンテンツ出力情報とを送信し、第２放送局は第２広告コンテンツと第２コンテンツ出力情報とを送信する。
【００８９】
端末機が第１放送局から放送プログラムを受信し、且つ特定のコンテンツ出力イベントが端末機で発生している場合に、携帯通信端末機は第１放送局から受信された第１広告コンテンツを出力する。
【００９０】
同様に、端末機が第２放送局から放送プログラムを受信し、且つ特定のコンテンツ出力イベントが端末機に発生している場合に、端末機は第２放送局から受信される第２広告コンテンツを出力する。
【００９１】
さらに、端末機が第１放送局から放送プログラムを出力しているときに、端末機が現在のプログラムチャンネルから第２放送局が放送する他のプログラムチャンネルに切り換えられた場合に、端末機は第１コンテンツ出力情報に基づいて第１広告コンテンツを出力する。なぜなら、端末機がチャンネル切換前に第１放送局からコンテンツを受信しているからである。
【００９２】
他の実施例においては、第１放送局のみが広告コンテンツを送信し、第２放送局は広告コンテンツを送信しないもとのとする。この場合、先ず、端末機が第１放送局から放送プログラムを受信し、且つ所定のコンテンツ出力イベントが端末機に発生したときに、携帯通信端末機は第１放送局から受信された第１広告コンテンツを出力する。さらに、端末機が第１放送局の第１チャンネルから第２放送局の第２チャンネルに切り換えられた場合、チャンネル切換のコンテンツ出力イベント中に、端末機はコンテンツ出力情報に基づいて第１広告コンテンツを出力する。
【００９３】
しかし、端末機が第２チャンネルから第１チャンネルに再び切り換えられた場合には、端末機が第１放送局から受信された広告コンテンツを再び出力する。出力される広告コンテンツは、第１放送局から最近に受信されたコンテンツであってもよく、又は端末機において最も頻繁に出力されるコンテンツ、又はコンテンツ送信装置によって決定された特定のコンテンツであってもよい。
【００９４】
前述したように、コンテンツ出力情報によって選択的に出力されるコンテンツは、コンテンツ送信装置が設定したコンテンツ出力情報によって変化することがある。従って、コンテンツ出力情報は、所定の状況の下でコンテンツを出力するためにコンテンツを受信する端末機を制御する制御情報に属する。
【００９５】
図８は本発明の実施形態によるコンテンツ出力方法を示す。図８を参照して、本発明によるコンテンツ出力方法の実施形態を説明する。このような方法は、装置２００又は他の好適な装置又はシステムによって実行することができる。
【００９６】
先ず、コンテンツとコンテンツ出力情報とを含む信号が受信される（Ｓ１１０）。コンテンツと該コンテンツに対応するコンテンツ出力情報とは、例えば信号受信ユニット２０２を通じて受信される。
【００９７】
さらに、コンテンツが出力されるか否か（例えば、図２の実施例で第１フィールド（ａ）の値が“１”であるか否か）に関する情報が、受信されたコンテンツ出力情報に設定されていることが判定される（Ｓ１２０）。例えば、制御ユニット２３０は、このような判定をすることができる。
【００９８】
受信されたコンテンツが出力されるか否かを示す情報がコンテンツ出力情報に設定されていなかったら（Ｓ１２０で“Ｎｏ”判定）、受信されたコンテンツは、メモリーユニット２２０に保存されることなく、そのコンテンツは出力ユニット２４０に直ちに出力される（Ｓ１２５）。
【００９９】
しかし、この変形例として、コンテンツが図８の手順にしたがってデータチャンネルのようなサブチャンネルに送信される場合には、コンテンツはＳ１２５において表示されないこともある。
【０１００】
コンテンツが出力されるか否かを示す情報がコンテンツ出力情報に設定されていたら（Ｓ１２０で“Ｙｅｓ”判定）、受信されたコンテンツとコンテンツ出力情報とが、例えばメモリーユニット２２０に保存される（Ｓ１３０）。
【０１０１】
さらに、所定のコンテンツ出力イベントが発生しているか否かが判定される（Ｓ１４０）。コンテンツ出力イベントが装置２００で発生しなかったら（Ｓ１４０で“Ｎｏ”判定）、保存されたコンテンツは出力されない（Ｓ１４５）。しかし、コンテンツ出力イベントが発生したら（Ｓ１４０で“Ｙｅｓ”判定）、例えば制御ユニット２３０によって出力ユニット２４０が制御されて、保存されたコンテンツがコンテンツ出力情報に基づいて出力される（Ｓ１５０）。
【０１０２】
当業者が本発明の思想及び範囲を逸脱することなく多様な変形及び変化を図ることができることは明白である。従って、本発明は、添付された請求項及びその等価物の範囲内における変形及び変化も含む。
【図面の簡単な説明】
【０１０３】
本発明のより良い理解を提供する添付された図面は、本明細書の一部を構成するものであり、本発明の実施例を示して発明の詳細な説明とともに本発明の原理を説明する役割をする。図面は以下のようである。
【０１０４】
【図１】本発明の一実施形態によるデータ構造の例を示す。
【図２】コンテンツ出力情報が追加情報フィールドに含まれる場合の、本発明の一実施形態による追加情報フィールドの例を示す。
【図３】マルチメディアオブジェクト送信（ＭＯＴ）プロトコルの一部を示す。
【図４】マルチメディアオブジェクト送信プロトコルの一部を示す。
【図５】本発明の一実施形態によるコンテンツ送信装置を示す。
【図６】本発明の一実施形態によるコンテンツ送信方法を示すフローチャートである。
【図７】本発明の一実施形態によるコンテンツ出力装置を示す。
【図８】本発明の一実施形態によるコンテンツ出力方法を示すフローチャートである。
【符号の説明】
【０１０５】
１００  コンテンツ送信装置
１１０  情報発生ユニット（コンテンツ情報発生ユニット）
１２０  コンテンツメモリー（メモリーユニット）
１３０  変換ユニット
１４０  送信ユニット
２００  受信装置
２０２  信号受信ユニット
２２０  メモリーユニット
２３０  制御ユニット
２４０  出力ユニット
３００  ケーブル、無線ネットワーク
【図１】
2007300614.tif 000003
【図２】
2007300614.tif 000004
【図３】
2007300614.tif 000005
【図４】
2007300614.tif 000006
【図５】
2007300614.tif 000007
【図６】
2007300614.tif 000008
【図７】
2007300614.tif 000009
【図８】
2007300614.tif 000010
【外国語明細書】
2007300614000001.pdf
2007300614000002.pdf
2007300614000003.pdf
2007300614000004.pdf